(57)【要約】本発明は、ガスレギュレータに関し、より詳細には、圧力容器に酸素など各種ガスを高圧で圧縮しておき、使用するときに出力負荷の変化と関係なく、吐出圧力を一定に保持することができるガスレギュレータに関する。本発明は、規定以上のガスがガスレギュレータの内部に流入した場合、補助シリンダーユニットが設定圧力によって自動的に遮断されるようになり、使用者の不注意で発生するガスレギュレータの損傷を防止できる。また、横隔膜を使用することなくピストンを使用することにより、寿命が半永久的であり、ガス漏洩現象を根本的に防止できる。また、補助シリンダー室のスプリングとメインシリンダー室のスプリングとの加圧力に違いを与えることにより、高圧ガスの流入で補助ピストンとメインピストンとが受ける力に差異を持たせるようにし、前記補助ピストンとメインピストンが同時に、または個別に作動することができる。また、メインピストンユニット上に補助ピストンユニットを位置させ、補助ピストンユニットの固定ボルトとスプリングにより補助ピストンが受ける圧力を調節することで、より効率よく圧力調節を行うことができる。また、メインシリンダー室と安全バルブを連通し、メインシリンダー室に流入した高圧ガスを安全バルブを介して外部に放出することで、より効率よく保護することができる。また、ガス吐出ニップルがボディの一側から下向きに所定の傾斜角を有して結合されており、ホースとの連結を容易とすることができるという効果を得ることができる。
2008507753.tif 000002
【特許請求の範囲】
【請求項１】
所定の大きさのボディと、そのボディ上の所定の部位に高圧ガス流入室と低圧ガス吐出孔を相互に連通されるように穿孔し、前記高圧ガス流入室のボディの一側に高圧ゲージを固定構成し、低圧ガス吐出孔のボディの一側に低圧ゲージを固定構成し、流入するガスの圧力を高圧ゲージと低圧ゲージによって確認し、前記ボディの一側に設定圧力以上のガスが流入したとき、外部にガスを吐出させ、低圧ガス吐出孔側のガス流入量を調節することができる調節ハンドルから構成されているガスレギュレータにおいて、
前記高圧ゲージと流入室との間に位置し、相互に連通されて高圧ガスが高圧ゲージに流入するようにする高圧ガス室を構成し、その内部に位置して上下垂直運動を可能にするディスクユニットと、
前記ボディの下端の一側を高圧ガス室と連通されるメインシリンダーを所定の大きさに陥没させた後、前記メインシリンダー室の内部にメインピストンを挿入し、スプリングとパッドを内蔵したキャップを用いてボディと締結した状態で前記キャップの一側を穿孔して開放し、その開放された部分に圧力調節ハンドルに固定された圧力調節ボルトを挿入し、圧力調節ボルトがパッドの一端と当接するようにすることで、ガスの圧力を調節することができるピストンユニットと、
前記ピストンユニットは、その所定の部位を垂直上向きに穿孔し貫通させて、シリンダー室流入孔と連通される補助シリンダー室を有し、前記補助シリンダー室内に前記ディスクユニットと連動し、高圧ガスの流入圧力を調節することができる補助ピストンユニットから構成されており、前記流入室を介して流入する高圧ガスを密閉及び開閉することで、設定圧力以上の流入によってガスレギュレータが損傷することを防止できることを特徴とするガスレギュレータ。
【請求項２】
前記ディスクユニットは、スリーブ、ディスク、ロード、スプリング、フランジ、パッキンを含み、前記ボディの高圧ガス室の内部に挿入され高圧ゲージで固定され、その内部でスプリングの弾性力を利用して乗降できるようにしており、前記ディスクの下端の一側に挿入固定されたロードの一端を補助ピストンユニットの一端と当接するようにし、補助ピストンユニットの設定圧力に応じてシリンダー室のガス流入孔の密閉及び開閉を一定にすることができるようにしたことを特徴とする請求項１に記載のガスレギュレータ。
【請求項３】
前記補助ピストンユニットは、補助ピストン、衝撃防止パッド、ピストンリング、スプリング及び固定ボルトを含み、前記メインピストンを穿孔して形成された補助シリンダー室の内部に補助ピストン、ピストンリング、衝撃防止パッド及びスプリングを順次に挿入した後、前記固定ボルトをメインピストンと結合し、前記補助ピストンをスプリングでバイアスさせた状態で、固定ボルトを上下に調節して設定圧力を調節することによって、低圧ガス流入孔に流入する圧力を調節できるようにしたことを特徴とする請求項２に記載のガスレギュレータ。
【請求項４】
前記メインピストンを上昇させることができるスプリングの弾性力と補助ピストンを上昇させることができるスプリングの弾性力とに差異を与えることによって、メインピストンと補助ピストンとが同時に、または個別に動作し、高圧ガスの圧力を調節できるようにしたことを特徴とする請求項３に記載のガスレギュレータ。
【請求項５】
前記メインピストンと補助ピストンとの上面面積が異なるようにし、それぞれの面積に加えられる力に違いを持たせることによって、メインピストンと補助ピストンを同時に、または個別に下降させて高圧ガスの圧力を調節することができるようにしたことを特徴とする請求項４に記載のガスレギュレータ。
【発明の詳細な説明】
【技術分野】
【０００１】
本発明は、圧力容器に酸素など各種ガスを高圧で圧縮しておき、使用するときに出力負荷の変化と関係なく、吐出圧力を一定に保持させるガスレギュレータを安全に使用できるようにレギュレータの内部に進入するガスの圧力を制限できるようにしたガスレギュレータに関する。
【背景技術】
【０００２】
より詳細には、ガスレギュレータのボディに圧力容器と着脱可能な連結ユニットと、圧力容器のガス圧力を確認することができる高圧ゲージ及びディスクユニットを備えており、ボディの下部にシリンダー室を形成し、補助ピストンを内蔵したメインピストンを装着するときに、ディスクユニットに内蔵されたロードが補助ピストンのヘッドに接触されるようにした状態でボディのシリンダー内部の中間段差部にピストンリングを挿入し、圧縮スプリングおよび中心に穿孔された帽子形状の円形パッドを内蔵したキャップをボディと締結してボディの内部とキャップの内部をシリンダーとしてメインピストンが作動するようにし、キャップの下端中心にねじを加工し、中心に穿孔されたボルトを締結するが、作動が容易になるようにボルトの端には圧力調節ハンドルを取り付けており、また、吐出圧力を確認しながら調節することができるように低圧ゲージ及び低圧ガス吐出ニップルを有して構成されている。
【０００３】
しかしながら、通常使用されている従来のガスレギュレータは、使用者の不注意でガスが過度な圧力でガスレギュレータの内部に進入したときに安全バルブが作動し、ガスを外部に排出させる方式であった。さらに、通常使用されている従来のガスレギュレータは、横隔膜（薄いキャンバスまたは合成樹脂）を用いており、寿命が短かく、かつ、横隔膜が損傷してガス漏洩が発生するという問題点があった。
【０００４】
また、ガス使用中に、ガス容器のガス量が減り圧力が低下すると、使用圧力を高めるために圧力調節ハンドルを操作して使用することになるが、その後、ガス容器を交換するときに圧力調節ハンドルを使用前の最初状態に戻さない状態で高圧ガス容器を交換し、そのまま使用し続ける場合がある。その結果、ガスレギュレータに規定以上の高圧が発生し、爆発したり、ホースが破れるなど、深刻な安全事故が発生するという問題があった。
【発明の開示】
【発明が解決しようとする課題】
【０００５】
そこで、本発明は上記従来の問題点に鑑みてなされたものであって、本発明の目的は、規定以上のガスがガスレギュレータの内部に流入した場合、補助シリンダーユニットが設定圧力によって自動的に遮断されるようになり、使用者の不注意で発生するガスレギュレータの損傷を防止できるようなガスレギュレータを提供することにある。
【０００６】
本発明の他の目的は、横隔膜を使用することなくピストンを使用することにより、寿命が半永久的であり、ガス漏洩現象を根本的に防止できるようなガスレギュレータを提供することにある。
【０００７】
本発明のまた他の目的は、補助シリンダー室のスプリングとメインシリンダー室のスプリングとの加圧力に差異を与えることにより、高圧ガスの流入で補助ピストンとメインピストンとが受ける力に違いを持たせて、前記補助ピストンとメインピストンが同時に、または個別に作動することができるようなガスレギュレータを提供することにある。
【０００８】
本発明のまた他の目的は、メインピストンユニット上に補助ピストンユニットを位置させ、補助ピストンユニットの固定ボルトとスプリングによって補助ピストンが受ける圧力を調節することで、より効率よく圧力を調節することができるようなガスレギュレータを提供することにある。
【０００９】
本発明のまた他の目的は、メインシリンダー室と安全バルブを連通し、メインシリンダー室に流入した高圧ガスを安全バルブを介して外部に放出することにより、効率よく保護することができるようなガスレギュレータを提供することにある。
【００１０】
本発明のまた他の目的は、ガス吐出ニップルがボディの一側から下向きに所定の傾斜角を有して結合されており、ホースとの連結を容易とすることができるようなガスレギュレータを提供することにある。
【課題を解決するための手段】
【００１１】
本発明の第１の実施例によるガスレギュレータにおいて、所定の大きさのボディと、そのボディ上の所定の部位に高圧ガス流入室と低圧ガス吐出孔を相互に連通されるように穿孔し、前記高圧ガス流入室のボディの一側に高圧ゲージを固定構成し、低圧ガス吐出孔のボディの一側に低圧ゲージを固定構成することで、流入するガスの圧力を高圧ゲージおよび低圧ゲージによって確認し、前記ボディの一側に設定圧力以上のガスが流入したとき、外部にガスを吐出させ、低圧ガス吐出孔側のガス流入量を調節することができる調節ハンドルから構成されることを特徴とするガスレギュレータにおいて、前記高圧ゲージと流入室との間に位置し、相互に連通されて高圧ガスが高圧ゲージに流入するようにする高圧ガス室を構成し、その内部に位置して上下垂直運動を可能にするディスクユニットと、前記ボディの下端の一側を高圧ガス室と連通されるメインシリンダーを所定の大きさに陥没させた後、前記メインシリンダー室の内部にメインピストンを挿入し、スプリングとパッドを内蔵したキャップを用いてボディと締結した状態で前記キャップの一側を穿孔して開放し、その開放された部分に圧力調節ハンドルに固定された圧力調節ボルトを挿入し、圧力調節ボルトがパッドの一端と当接するようにすることで、ガスの圧力を調節することができるピストンユニットと、前記ピストンユニットは、その所定の部位を垂直上向きに穿孔し貫通させ、シリンダー室流入孔と連通される補助シリンダー室を有し、前記補助シリンダー室内に前記ディスクユニットと連通し、高圧ガスの流入圧力を調節することができる補助ピストンユニットから構成されており、前記流入室を介して流入する高圧ガスを密閉及び開閉することで、設定圧力以上の流入のためガスレギュレータが損傷することを防止できることを特徴とする。
【００１２】
本発明の第２の実施例によるガスレギュレータにおいて、第１の実施例における前記ディスクユニットは、スリーブ、ディスク、ロード、スプリング、フランジ、パッキンを含み、前記ボディの高圧ガス室の内部に挿入され高圧ゲージで固定され、その内部でスプリングの弾性力を利用して乗降できるようにしており、前記ディスクの下端の一側に挿入固定されたロードの一端を補助ピストンユニットの一端と当接するようにし、補助ピストンユニットの設定圧力に応じてシリンダー室のガス流入孔の密閉及び開閉を一定にすることができることを特徴とする。
【００１３】
本発明の第３の実施例によるガスレギュレータにおいて、第２の実施例における前記補助ピストンユニットは、衝撃防止パッド、ピストンリング、スプリングおよび固定ボルトを含み、前記メインピストンを穿孔して形成された補助シリンダー室の内部に補助ピストン、ピストンリング、衝撃防止パッドおよびスプリングを順次に挿入した後、前記固定ボルトをメインピストンと結合し、前記補助ピストンをスプリングが圧止した状態で固定ボルトを上下に調節して設定圧力を調節することによって、流入室に流入する高圧ガスの圧力に応じて低圧ガス流入孔に流入する圧力を調節できるようにしたことを特徴とする。
【００１４】
本発明の第４の実施例によるガスレギュレータにおいて、第３の実施例における前記メインピストンを上昇させるスプリング力と、補助ピストンを上昇させるスプリング力とが互いに異なるようにすることで、同時にまたは個別に動作し、高圧ガスの圧力を調節することができるようにしたことを特徴とする。
【００１５】
本発明の第５の実施例によるガスレギュレータにおいて、第４の実施例における前記メインピストンと補助ピストンとの上面面積を互いに異なるようにすることで、それぞれの面積に加えられる力に違いを持たせることで、メインピストンと補助ピストンを同時にまたは個別に下降させ、高圧ガスの圧力を調節することができるようにしたことを特徴とする。
【発明の効果】
【００１６】
本発明の構成により、以下のような効果を有する。
【００１７】
本発明は、規定以上のガスがガスレギュレータの内部に流入したとき、補助ピストンユニットが設定圧力によって自動的に遮断されることで、使用者の不注意で発生し得るガスレギュレータの損傷を防止することができる効果がある。
【００１８】
本発明は、横隔膜を使用することなくピストンを使用することにより、寿命が半永久的であり、ガス漏洩現象を根本的に防止できるという効果がある。
【００１９】
本発明は、補助シリンダー室のスプリングとメインシリンダー室のスプリングとの加圧力に差異を与えることにより、高圧ガスの流入で補助ピストンとメインピストンとが受ける力に違いを持たせ、前記補助ピストンとメインピストンが同時にまたは個別に作動することができるという効果がある。
【００２０】
本発明は、メインピストンユニット上に補助ピストンユニットを位置させ、補助ピストンユニットの固定ボルトとスプリングによって補助ピストンが受ける圧力を調節することで、より効率よく圧力を調節することができるという効果がある。
【００２１】
本発明は、メインシリンダー室と安全バルブを連通し、メインシリンダー室に流入した高圧ガスが安全バルブを介して高圧ガスを外部に放出することにより、より効率よく保護することができるという効果がある。
【００２２】
本発明は、ガス吐出ニップルがボディの一側から下向きに所定の傾斜角を有して結合されており、ホースとの連結を容易とすることができるという効果がある。
【発明を実施するための最良の形態】
【００２３】
図１は、本発明によるガスレギュレータの実施例を示した正面断面図であり、図２は、本発明によるガスレギュレータの実施例を示した側面断面図であり、図３は、図１に示されるガスレギュレータのディスクユニットの作動状態を示した部分拡大断面図であり、図４は、図３に示されるガスレギュレータのＢを部分拡大した断面図である。
【００２４】
図１乃至図２に示すように、前記ガスレギュレータ１は、ボディ２、連結ユニット３、高圧ゲージ１３、低圧ゲージ３４、ディスクユニット８およびピストンユニット１００を有している。
【００２５】
前記ボディ２は、所定の大きさに形成されており、前記内部に高圧ガス流入室７、シリンダー室ガス流入孔１４、高圧ガス室１４−１、低圧ゲージガス流入孔３１および低圧ガス流入孔３２を所定の大きさに相互に連通されるようにし、高圧ガスがボディ２の内部に流入したとき、高圧と低圧をチェックし、設定圧力で低圧ガス流入孔３２を介して吐出されるようにする。
【００２６】
前記連結ユニット３は、連結ナット４とフィルタ６とで構成されており、前記ボディ２の一側に形成された高圧ガス流入室７にフィルタ６を挿入し、連結ユニット３を結合した後、連結ナット４を用いて高圧ガス容器と結合される。
【００２７】
前記高圧ゲージ１３は、通常使用されている高圧用ガスの圧力をチェックするためのものであって、前記ボディ２の一側に形成された高圧ガス室１４−１にネジ結合されており、高圧ガス室１４−１に流入した高圧ガスの圧力をチェックすることによって、使用者が設定圧力を随時確認することが可能になる。
【００２８】
前記低圧ゲージ３４は、通常使用されているゲージであって、前記高圧ガスの圧力をチェックした状態で、メインシリンダーユニット１００の設定圧力によって低圧側に流入するガスの圧力が使用圧力であるかどうかをチェックする。
【００２９】
前記ディスクユニット８は、ディスク８−１、スリーブ８−２、ロード８−３、スプリング９、フランジ１０、パッキング１１から構成されており、前記ボディ２の上端部に所定の大きさに形成された高圧ガス室１４−１をシリンダー室のガス流入孔１４と高圧ガス流入室７の所定の部位と連通されるようにし、前記高圧ガス室１４−１にディスクユニット８を挿入した状態で、高圧ゲージ１３によってボディ２と結合することで、高圧ガスが流入したとき、高圧ゲージ１３と連通され、高圧ガスが高圧ゲージ１３に流入するようにし、補助ピストン２５と連動することができる。
【００３０】
前記ディスク８−１は、所定の大きさの円筒形状に形成され、その一側は所定の傾斜面を有しており、シリンダー室のガス流入孔１４の一側面と当接して密着されるようにし、前記傾斜面の中心を所定の大きさに貫通させてロード８−３が挿入されるようにすることで、ロード８−３と補助ピストン２５が相互に連動することができる。
【００３１】
前記スリーブ８−２は、ディスク８−１と等しい大きさに形成されてディスクと結合されており、その中心部にディスクに貫通されたものと等しい大きさに陥没させ、ロード８−３が挿入固定されるようにする。
【００３２】
前記ロード８−３は、所定の大きさの棒状で円筒形状を有しており、前記ディスク８−１とスリーブ８−２に結合され、補助ピストン２５の上端面と当接して相互に連動することができる。
【００３３】
前記スプリング９は、その一端部をスリーブ８−２の一側面と結合させ、他端部はフランジ１０とパッキングに密着させて高圧ゲージ１３によって固定することで、高圧ガス室１４−１の内部で圧縮と膨張運動を並行できるようにし、ディスク８−１がシリンダー室のガス流入孔１４のシード面４３に密閉、開閉を並行することができる。
【００３４】
前記フランジ１０は、所定の大きさの円板形状に形成され、スプリング９の一側を圧止し、その中心部を高圧ゲージガス流入孔１２を貫通させ、高圧ゲージ１３に高圧ガスが流入することができる。
【００３５】
前記パッキング１１は、フランジ１０と等しい大きさに形成され、フランジ１０の高圧ゲージガス流入孔１２と連通されるようにし、前記フランジ１０の一側に当接した状態で高圧ゲージ１３によってディスクユニット８がボディ２の高圧ガス室１４−１の内部に結合するときに緩衝役割をし、ディスクユニット８の損傷を防止する。
【００３６】
前記ピストンユニット１００は、メインピストンユニットと補助ピストンユニットとを有する。
【００３７】
前記メインピストンユニットは、メインピストン１６、ピストンリング１７、キャップ１８、スプリング１９、パッド２０、圧力調節ボルト２１及び圧力調節ハンドル２２を有している。
【００３８】
前記メインピストン１６は、ボディ２の下端部に所定の大きさのメインシリンダー室１５と等しい大きさに形成され、その中心を所定の大きさの補助ピストンユニット２００を突出して形成する。
【００３９】
前記ピストンリング１７は、メインピストン１６の外周面の所定部位に結合され、前記ボディ２のメインシリンダー室１５の内周面と密着させ、高圧ガスによってメインピストン１６が上下運動するときにボディ２の外部に高圧ガスが漏洩することを防止する。
【００４０】
前記キャップ１８は、内部が空である所定の大きさを有しており、前記キャップ１８の内部にパッド２０を挿入し、スプリング１９の一端部をパッド側に、そしてスプリング１９の他端部をメインピストン１６の一端に密着させてメインピストン１６を上方向にバイアスさせ、前記キャップ１８の外周面の一側と、前記ボディ２のメインシリンダー室１５の内周面とネジ結合する。
【００４１】
また、前記キャップ１８は、パッド２０が当接している一端部を貫通開放した状態で、その貫通された内部に所定の大きさに形成されており、内部が空である圧力調節ボルト２１をネジ結合し、前記圧力調節ボルト２１の他端部に圧力調節ハンドル２２を結合固定することによって、前記圧力調節ハンドル２２で圧力調節ボルト２１を上下に調節すると、前記圧力調節ボルト２１と連動するパッド２０及びスプリング１９によってメインピストン１６が上下運動をするようになり、このようにして、ボディ２に流入した高圧ガスの圧力を調節し、低圧ガス流入孔３２に流入するガスの圧力を調節することができる。
【００４２】
また、前記圧力調節ハンドル２２と圧力調節ボルト２１が結合される中心部に調整レンチ挿入孔２３を穿孔し、前記メインシリンダー室１５と連通する。
【００４３】
前記補助ピストンユニット２００は、ピストンユニット１００の一側を突出させて形成されるものであって、補助シリンダー室２４、補助ピストン２５、ピストンリング２６、スプリング２７、衝撃防止パッド２８および固定ボルト２９を有している。
【００４４】
前記補助シリンダー室２４は、メインピストン１６の中心を貫通するものであって、一側はメインシリンダー室１５と連通されるようにし、他側は調整レンチ挿入孔２３と連結されるようにし、メインシリンダー室１５と連通される部分は補助ピストン２５により密閉し、前記調整レンチ挿入孔２３と連結される部分は固定ボルト２９により結合することで、固定ボルト２９と補助ピストン２５との間においてスプリング２７が上下作動し、圧力を調節することができるようになる。
【００４５】
前記補助ピストン２５は、前記補助シリンダー室２４の内部に位置し、前記補助ピストンの外周面に所定の大きさの溝を形成し、その内部にピストンリング２６を挿入固定して、前記ピストンリング２６によって補助シリンダー室２４の内周面と補助ピストン２５の外周面とが密着するようにすることで、高圧ガスが外部に漏洩することを防止する。
【００４６】
前記固定ボルト２９は、所定の大きさに形成されており、その内部にレンチ溝３０を有している。前記固定ボルト２９は、上記のように、補助シリンダー室２４の補助ピストン２５が当接する他端部の内面にネジ結合し、スプリング２７と補助ピストン２５を圧止しており、前記調整レンチ挿入孔２３と連通され、レンチにより上下に調節されることによって圧力を調節することができる。
【００４７】
次に、前記実施例参照して使用態様について説明する。
【００４８】
図３乃至図４に示すように、使用者が減圧されたガスを使用するために、高圧のガス容器に本発明のレギュレータの連結ナットを締結した後、吐出ユニット３５にホースを連結し、使用しようとする機械及び機構を正しく連結し、圧力調節ハンドル２２を反時計方向に回してメインピストン１６を下降させ、ディスクユニット８のディスク８−１がシード面４３に密着されてシリンダー室流入孔１４が密閉された状態で高圧ガス容器のバルブをゆっくり反時計方向に回して開放し、高圧ゲージ１３の目盛りを確認してから、圧力調節ハンドル２２を時計方向に回してメインピストン１６を上昇させると、シード面４３からディスク８−１が離脱し、シリンダー室流入孔１４が開放されてガスが流入すると、低圧ゲージ３４の目盛りを確認しながら使用圧力に調整して使用する。そして、圧力容器のガス圧力が弱くなると、高圧ゲージ１３を確認し、吐出圧力が弱くなったとき（低圧ゲージによって確認可能）、圧力調節ハンドル２２を時計方向に回転してシリンダー室流入孔１４をさらに開放して引き続き使用し、その後、容器が空くと容器を交換して使用する。
【００４９】
従来の通常のガスレギュレータを使用する場合、使用者の不注意でシリンダー室流入孔１４を開放したまま高圧ガス容器のバルブを開放すると、一時に高圧のガスがガスレギュレータに流入してしまい、安全バルブが破壊したり、ガスレギュレータまたはホースが破れるなど、安全事故が発生するおそれがある。一方、本発明のガスレギュレータ１は、不注意で流入する高圧ガスの圧力をＰ１、メインピストン１６の上面の面積をＡ２、補助ピストン２５の上面の面積をＡ３とする場合、メインピストン１６の上面に作用する力Ｆ２は、Ａ２×Ｐ１であり、補助ピストン２５の上面に作動する力Ｆ３は、Ａ３×Ｐ１である。さらに、前記メインピストン１６がスプリング１９によって加圧される力をＥ２、補助ピストン２５がスプリング２７によって加圧される力をＥ３とする場合、Ｆ２がＥ２より大きいか等しいときにはメインピストン１６が下降するようになり、Ｆ２がＥ２より大きいか等しいときには補助ピストン２５が下降するようになる。なお、前記補助ピストン２５の上面面積Ａ３がメインピストン１６の上面面積Ａ２より小さいので、前記メインピストン１６に作用する力Ｆ２は、補助ピストン２５に作用する力Ｆ３より常に大きい。
【００５０】
従って、Ｅ２がＥ３より大きく設定された場合は、力Ｆ３がＥ３以上である場合には、Ｆ２がＥ２より小さくても、補助ピストン２５が下降してディスクユニット８が下降し、その結果、シリンダー室流入孔１４が密閉されて急な高圧ガスの流入が遮断される。そして、前記Ｅ２がＥ３より小さいか同じく設定された場合は、前記Ｆ２がＦ３より常に大きいので、補助ピストン２５が下降する前であってもメインピストン１６が先に下降し、シリンダー室流入孔１４が密閉され、高圧ガスの急な流入が遮断される。
【００５１】
実際には、本発明は、使用後に圧力調節ハンドル２２が時計方向に回され、シリンダー室流入孔１４が過度に開放されている場合（Ｅ２があまりにも高く設定されていてＥ２がＥ３より高い場合）、新しいガス容器に交換する際に発生し得る高圧ガスの急な流入による問題を解決することを主な目的としており、Ｅ３はレンチを調整レンチ挿入孔２３に挿入し、固定ボルト２９を回転させてスプリング２７の弾性力を調節することによって設定されるので、以降にレンチでその弾性力を再調整しない限り、常に以前の設定状態をそのまま維持する反面、Ｅ２は、使用者が圧力調節ハンドル２２を回転させて、随時変更することができることから、上記場合において、圧力調節ハンドルを操作してＥ２がＥ３より大きく設定されたときに本発明を有効に活用することができるであろう。もちろん、他の場合にもメインピストンが下降するので、本発明を適用することができる。
【００５２】
さらに、高圧ガス使用中に高圧ガスの圧力が減少した場合には、メインピストン１６を上昇させてシリンダー室流入孔１４の開放を調節することができ、前記補助ピストンユニット２００のスプリング２７の圧縮力によって補助ピストン２５が上昇し、同時にディスク８−１が連動してシリンダー室流入孔１４の開放幅が調節され、低圧ガス流入孔３２に流入する流入量を増やし、低圧ガスの使用を一定に保つこともできる。
【００５３】
尚、本発明は、上述の実施例に限られるものではない。本発明の技術的範囲から逸脱しない範囲内で多様に変更実施することが可能である。
【図面の簡単な説明】
【００５４】
【図１】本発明によるガスレギュレータの実施例を示した正面断面図。
【図２】本発明によるガスレギュレータの実施例を示した側面断面図。
【図３】図１に示されるガスレギュレータのディスクユニットの作動状態を示した部分拡大断面図。
【図４】図３に示されるガスレギュレータのＢを部分拡大した断面図。
【図１】
2008507753.tif 000003
【図２】
2008507753.tif 000004
【図３】
2008507753.tif 000005
【図４】
2008507753.tif 000006
【国際調査報告】
2008507753.tif 000007
2008507753.tif 000008